(57)【要約】      （修正有）【課題】スケジュール機能の操作性を向上させた携帯端末装置を提供する。【解決手段】携帯端末装置は、スケジュール機能が起動している状態において、この表示部回動機構を利用した表示部の回動を検知する場合、又は所定加速度以上の加速度を検知する場合、当該検知に基づいて、スケジュールの表示を変更する。具体的には、表示されているスケジュールの期間を変更し、又は表示されている内容の表示倍率を変更する。【選択図】図２
2008198040.tif 000002
【特許請求の範囲】
【請求項１】
スケジュールを記憶及び表示するスケジュール機能を有する携帯端末装置において、
記憶されたスケジュールを表示する表示部と、
前記表示部の揺動を検知する揺動検知部と、
前記揺動検知部が前記表示部の揺動を検知すると、前記表示部に表示されるスケジュール期間を変更する表示制御部とを備えることを特徴とする携帯端末装置。
【請求項２】
請求項１において、
前記表示部の揺動は、前記表示部の縦長状態から横長状態への回動及び横長状態から縦長状態への回動であることを特徴とする携帯端末装置。
【請求項３】
請求項１において、
前記表示部の揺動は、前記表示部の所定の加速度以上の振動であることを特徴とする携帯端末装置。
【請求項４】
スケジュールを記憶及び表示するスケジュール機能を有する携帯端末装置の表示制御方法において、
前記携帯端末装置の表示部にスケジュールを表示する表示ステップと、
前記表示部の揺動を検知する揺動検知ステップと、
前記揺動検知ステップにより前記表示部の揺動が検知されると、前記表示部に表示されるスケジュール期間を変更する表示制御ステップとを備えることを特徴とする携帯端末装置の表示制御方法。
【請求項５】
スケジュールを記憶及び表示するスケジュール機能を有する携帯端末装置により実行されるコンピュータプログラムにおいて、
前記携帯端末装置の表示部にスケジュールを表示する表示ステップと、
前記表示部の揺動を検知する揺動検知ステップと、
前記揺動検知ステップにより前記表示部の揺動が検知されると、前記表示部に表示されるスケジュール期間を変更する表示制御ステップとを前記携帯端末に実行させることを特徴とするコンピュータプログラム。
【発明の詳細な説明】
【技術分野】
【０００１】
本発明は、スケジュール機能を備えた携帯端末装置に関し、特に、容易な操作により、スケジュールの表示内容を自在に変更することができる携帯端末装置及びその表示制御方法に関する。
【背景技術】
【０００２】
近年、携帯電話機などの携帯端末装置は、ハードウェアの性能（CPU性能やメモリ容量）の向上や、市場（すなわちユーザ）のニーズなどにより、高機能化が進んでいる。そのような中で、携帯端末装置は、ユーザによって登録されたスケジュールを記憶、表示するスケジュール機能を備えている。一方で、その機能拡張に伴う表示項目の増加などにより、限られた面積の表示画面の範囲に、登録されたスケジュール内容をすべて表示することは不可能であり、ユーザは、所定のキー操作などにより、表示内容を選択したり、切り替えたりする必要がある。また、所定の切替時間間隔で、表示内容を自動的に切り替えることも提案されている（特許文献１）。
【０００３】
一方で、携帯端末装置の表示部を縦長方向から横長方向に回動可能な機構を備えた携帯端末装置が登場している。
【０００４】
図１は、表示部が回動可能な携帯端末装置の例を示す図である。図１に示す携帯端末装置は、折りたたみ形式の携帯電話機であり、開かれた状態において、図１に示すように、表示部１０５が通常の配置である縦長状態から、左側に回動して横長状態にしたり、図１とは反対方向の右側に回動して横長状態にすることができる。
【０００５】
このような表示部回動機構を備える携帯端末装置は回動検知機構を備え、回動検知に応じて、表示部１０５の回動に応じて、搭載されるさまざまな機能を起動させることができる。例えば、表示部１０５を左側に回動させると、メール機能が起動し、表示部１０５には、受信メールの一覧が表示され、表示部１０５を右側に回動させると、内蔵カメラ（図示せず）による静止画撮影機能が起動し、内蔵カメラからの画像が表示部１０５に表示される。起動する機能は、設定により任意に変更可能であり、また、左側に回動させる場合と右側に回動させる場合とそれぞれに別々の機能を割り当てることができる。
【特許文献１】特開２００２−９１９２８号公報
【発明の開示】
【発明が解決しようとする課題】
【０００６】
上述したように、携帯端末装置のスケジュール機能により管理されるスケジュール内容を表示部１０５に表示させる場合、その表示部の限られた面積により、表示するスケジュール期間（例えば１ヶ月）を長くすると、各スケジュール内容の全てを表示することができなくなり、反対に、表示されるスケジュール期間（例えば１週間）を短くすると、全月単位などの全体のスケジュールを確認することができないこととなり、スケジュールを確認するのに頻繁に表示内容の切替が必要となる。しかしながら、表示内容の切替の都度、小さなキーの押し下げ操作のような煩雑なキー操作を必要とし、ユーザは面倒な操作を余儀なくされていた。
【０００７】
そこで、本発明の目的は、スケジュール機能の操作性を向上させた携帯端末装置及びその表示制御方法を提供することにある。より具体的には、上述の表示部回動機構などを利用して、キー操作なしでスケジュールの表示内容を切替可能とすることで、スケジュール機能の操作性を向上させることを目的とする。
【課題を解決するための手段】
【０００８】
上記目的を達成するための本発明の携帯端末装置は、その表示部を縦長方向から横長方向に回動可能な表示部回動機構を備え、ユーザが表示部を回動させる操作をすることにより、上述の図１に示すように、表示部を縦長状態から左側又は右側に回動して横長状態にし、横長状態から縦長状態に戻すことができる。
【０００９】
そして、携帯端末装置は、揺動検知手段として、この表示部回動機構を利用した表示部の回動を検知する回動検知部を備え、スケジュール機能が起動している状態において、ユーザが表示部を回動させる揺動動作を行うことで、回動検知部が当該回動を検知すると、当該検知に基づいて、スケジュールの表示を変更する機能を有する。具体的には、表示されているスケジュールの期間を変更し、又は表示されている内容の表示倍率を変更する。
【００１０】
さらに、本発明の携帯端末装置が揺動検知手段として加速度センサを内蔵する場合は、ユーザが携帯端末装置を振り動かす揺動動作を行うことで、加速度センサが所定の加速度を検知すると、その検知に基づいて、スケジュールの表示を変更する機能を有する。
【００１１】
本発明の表示制御方法は、スケジュールを記憶及び表示するスケジュール機能を有する携帯端末装置の表示制御方法において、前記携帯端末装置の表示部にスケジュールを表示する表示ステップと、前記表示部の揺動を検知する揺動検知ステップと、前記揺動検知ステップにより前記表示部の揺動が検知されると、前記表示部に表示されるスケジュール期間を変更する表示制御ステップとを備えることを特徴とする。
【００１２】
また、本発明の表示制御方法を携帯端末装置に実行させるためのコンピュータプログラムが提供される。
【発明の効果】
【００１３】
本発明によれば、携帯端末装置に対してキー操作ではなく、所定の揺動動作を行うことで、表示されるスケジュールの期間や表示倍率を変更することが可能となり、スケジュール機能の操作性が向上し、また、スケジュール内容の閲覧を容易にする。
【発明を実施するための最良の形態】
【００１４】
以下、図面を参照して本発明の実施の形態について説明する。しかしながら、かかる実施の形態例が、本発明の技術的範囲を限定するものではない。なお、本明細書及び請求項では、表示部が回動する動作と携帯端末装置が振動する動作の両方を含む動作を「揺動」動作と称する。さらに、携帯端末装置が振動することにより、携帯端末装置に備えられる表示部も同様に振動するので、携帯端末装置の振動と表示部の振動は同義なものとして用いる。以下、本発明の実施の形態について詳細に説明する。
【００１５】
図２は、本発明の実施の形態における携帯端末装置のハードウェア構成例を示す図である。携帯端末装置は、アプリケーション制御部１００及び無線制御部１１０を備える。アプリケーション制御部１００は、スケジュール機能などさまざまな機能に対応するアプリケーションプログラムなどを格納するＲＯＭ１０１、起動されたアプリケーションプログラムを展開するＲＡＭ１０２を有し、アプリケーションＣＰＵ１０３が各種アプリケーションプログラムを実行することにより、各種機能が実行され、液晶ディスプレイである表示部１０５に所定の画面表示を行う。入力部１０４は、キーボタンなどで構成され、ユーザによる操作される。
【００１６】
また、携帯端末装置は、表示部１０５の回動を検知する回動検知部１０８及び加速度センサ１０９を備える。回動検知部１０８は、携帯端末装置の表示部回動機構により、表示部１０５が右側又は左側に回動したことを検知するものであり、回動方向（右側か左側か）も識別可能である。回動検知部１０８は、簡易なスイッチで構成可能である。加速度センサ１０９は、ユーザにより携帯端末装置が振り動かされたときの携帯端末装置の加速度を検知することで、携帯端末装置の振動を検知する。
【００１７】
さらに、通話のためのスピーカやマイクから入出力される音響信号を制御するための音響制御部１０６、スピーカやマイクとのインターフェース（Audio Interface Unit：ＡＩＵ）１０７も設けられる。さらに、無線制御部１１０は、電話、電子メールやインターネットなどの各種通信における無線信号の送受信を制御するＣＰＵ１１１、インターフェース１１２及び無線信号送受信部（ＲＦ）１１３を有する。
【００１８】
図３は、表示部１０５の回動によりスケジュール機能を起動するための設定画面を示す図である。各種機能設定メニューにおいて、表示部１０５の回動により起動する機能を設定することができる。図３の例では、待ち受け状態において、縦長状態の表示部１０５が右側に回動され横長状態にされた場合は、カメラ機能が起動され、入力部１０４に対する所定の操作（例えば、所定のキーボタンの押し下げ）が行われている状態で、縦長状態の表示部１０５が右側に回動され横長状態にされた場合は、スケジュール機能が起動される。すなわち、表示部１０５の右側への回動という動作に対して、複数の機能を割り当てることができる。図３の設定例において、縦長状態の表示部１０５が左側に回動され横長状態にされる場合は、入力部１０４に対する所定の操作がない場合は、ビデオ機能が起動され、ある場合は、メモ帳機能が起動される。
【００１９】
アプリケーションＣＰＵ１０３は、待ち受け状態において、回動検知部１０８が表示部１０５の縦長状態から横長状態への回動を検知したときに、入力部１０４に対する所定の操作が行われているかどうか判定し、表示部１０５の回動の方向及び所定の操作の有無に基づいて起動する機能を選択する。図３の例では、入力部１０４に対する所定の操作が行われている状態で、回動検知部１０８が表示部１０５の右側への回動を検知すると、スケジュール機能を起動する。もちろん、通常のキー操作のみによりスケジュール機能を起動することもできる。
【００２０】
スケジュール機能が起動されている状態における表示制御処理について、次に説明する。本発明における表示制御処理は、アプリケーションＣＰＵ１０３によるスケジュール機能の実行により実現され、アプリケーションＣＰＵ１０３は、回動検知部１０８による表示部１０８の回動の検知に基づいて、表示部１０５に表示されるスケジュールの期間を変更する。
【００２１】
スケジュール機能が起動すると、例えば、デフォルト画面として、図４（ａ）に示すような当月１ヶ月のスケジュール画面が表示される。
【００２２】
図４は、スケジュール期間を変更する本発明の表示制御処理による表示部１０５に表示される画面の例であり、図４（ａ）は、スケジュール起動時のデフォルト画面の例であり、表示部１０５は縦長状態である。図４（ａ）の画面が表示されている場合において、通常、入力部１０４に対する操作により、所定の日付を選択すると、選択された日付の詳細なスケジュール内容が表示される画面に切り替わる。
【００２３】
本発明の実施の形態例の第一の表示制御処理では、表示部１０５が縦長状態から横長状態に回動されると、あらかじめ設定された期間のスケジュール画面に切り替わる。右側に回動される場合と左側に回動される場合とで別々の期間を設定することが可能である。例えば、左側に回動される場合は、図４（ｂ）に示すように、１週間のスケジュール期間を示すスケジュール画面に切り替わり、右側に回動される場合は、図４（ｃ）に示すように、２週間のスケジュール内容を示すスケジュール画面に切り替わる。なお、表示されるスケジュール期間の変更は、表示部１０５の回動のみならず、入力部１０４に対する通常の操作によっても可能である。
【００２４】
表示部１０５がデフォルトの縦長状態から回動されて一旦横長状態にされ、図４（ｂ）又は図４（ｃ）のように、設定されたスケジュール期間が表示された後、元の縦長状態に戻すように表示部１０５を回動させると、変更前のスケジュール画面に戻る。
【００２５】
図５は、表示部１０５の回動により表示されるスケジュール期間を設定するための設定画面の例を示す図である。図示されるように、左側に回動する場合と右側に回動する場合とで別々のスケジュール期間を選択可能となっている。スケジュール期間を選択しなくともよい。回動された場合のスケジュール期間が設定されない場合に、表示部１０５が縦長状態から横長状態に回動されると、図６に示すように、単に、縦長状態に表示されているスケジュール画面を画面サイズに合わせて横長状態に調整する。表示部１０５を縦長状態に戻す場合は、スケジュール画面も縦長状態に戻す。
【００２６】
図６は、回動に対するスケジュール期間が設定されない場合のスケジュール画面の切替例を示す図であり、一例として、表示部１０５に表示された１ヶ月のスケジュール画面の画面サイズの調整例を示す。回動前の表示されるスケジュールの期間と回動後の期間は変更されず、単に、表示内容が画面サイズに合わせて調整される。図６（ａ）は、表示部１０５が縦長状態の場合であり、図６（ｂ）は、横長状態の場合である。
【００２７】
また、図５における設定項目「拡大／縮小モード」については、表示部１０５が回動された場合に、表示されているスケジュールを拡大又は縮小表示するモードを有効にするかどうかの設定であり、当該モードにおける動作については後述する。さらに、設定項目「拡大／縮小  加速度センサ」についても、加速度センサが所定の加速度を検知した場合に、表示されているスケジュールを拡大又は縮小表示するモードを有効にするかどうかの設定であり、加速度センサを用いた動作についても後述する。
【００２８】
続いて、本発明の実施の形態例における第二の表示制御処理について説明する。第二の表示制御処理では、一定時間内に左側又は右側への回動を複数回検知することにより、表示期間が変更される。
【００２９】
図７は、表示期間を変更するための表示部１０５を回動させる動作を説明する図である。表示期間を変更するための動作は、例えば、一定時間（例えば２秒程度）の間に、縦長状態の表示部１０５を左側又は右側に２回回動させる。すなわち、表示部１０５が縦長状態にある場合において（図７（ａ））、左側に回動させ横長状態にし（図７（ｂ））、縦長状態に戻すように回動させ（図７（ｃ））、さらにもう一度左側に回動させ横長状態にする（図７（ｄ））。この動作が一定時間以内に行われた場合は、あらかじめ設定された表示期間の順序に従って、表示期間を変更する。このとき、表示部１０５が横長状態のままスケジュール画面を見たい場合は、そのまま表示部１０５を横長状態に維持し、縦長状態でスケジュール画面を見たい場合は、表示部１０５を縦長状態に戻すことで、スケジュール画面は縦長状態に調整されて表示される。
【００３０】
このような一定時間内の複数回回動動作を検知した場合は、あらかじめ決められた変更順序に従って、表示されるスケジュールの表示期間が変更される。
【００３１】
図８は、表示されるスケジュールの表示期間の変更順序の例を示す図である。変更順序は、図示されるように、１ヶ月→３週間→２週間→１週間→２週間→３週間→１ヶ月と複数の表示期間が周期的に繰り返すように設定される。例えば、表示されているスケジュールの表示期間が１ヶ月であるときに、本動作が検知されると、表示されるスケジュールの表示期間は３週間に変更され、さらに、この状態で本動作が検知されると２週間に変更される。そして、この動作を繰り返すことにより、表示されるスケジュールの表示期間は１ヶ月に戻り、さらに本動作を繰り返すことにより、同様の変更順序による表示期間の変更が周期的に繰り返される。
【００３２】
上述した第二の表示制御処理は、図５における設定項目「拡大／縮小モード」が「ＯＦＦ」に設定されている場合に実行される処理であり、当該設定項目が「ＯＮ」に設定されている場合は、第三の表示制御処理として、次に説明するように、一定時間内の複数回回動動作を検知した場合に、スケジュールの表示期間の変更ではなく、表示されているスケジュールの表示倍率を変更し、スケジュールの拡大／縮小表示が行われる。
【００３３】
具体的には、第三の表示制御処理では、図５の「拡大／縮小モード」が「ＯＮ」設定されている場合に、一定時間内の複数回回動動作が検知されると、あらかじめ決められた表示倍率順序に従って、表示されるスケジュールの表示倍率が変更される。
【００３４】
図９は、表示されるスケジュールの表示倍率の変更順序の例を示す図である。変更順序は、図示されるように、変更順序は、図示されるように、１３０％（拡大）→１６０％（拡大）→２００％（拡大）→１６０％（縮小）→１３０％（縮小）→１００％（縮小）→１３０％（拡大）と複数の表示倍率が周期的に繰り返すように設定される。例えば、表示倍率が１００％の通常表示において、１回目の一定時間内の複数回回動動作が検知されると、表示倍率１３０％に変更され拡大表示され、さらに、この状態で本動作が検知されると表示倍率１６０％に変更され、さらに拡大される。表示倍率が２００％になった後に、本動作が検知されると、縮小表示に転じ、この動作を繰り返すことにより、表示されるスケジュールの表示倍率は通常表示の１００％に戻り、さらに本動作を繰り返すことにより、同様の変更順序による表示倍率の変更が周期的に繰り返される。
【００３５】
図１０及び図１１は、拡大／縮小されて表示されるスケジュール画面の例を示す図である。図１０は、表示部１０５が縦長状態における拡大／縮小されたスケジュール画面の例であり、図１１は、表示部１０５が横長状態における拡大／縮小されたスケジュール画面の例である。
【００３６】
上述の第二の表示制御処理及び第三の表示制御処理は、回動検知部１０８により表示部１０５が一定時間内に複数回回動されたことを検知することによって、スケジュールの表示期間又は表示倍率を変更するものであるが、回動検知部１０８に代わって、加速度センサ１０９により表示部１０５が一定加速度以上で振動されたことを検知することによって、スケジュールの表示期間又は表示倍率を変更するようにしてもよい。また、表示部１０５の回動の検知に基づいたスケジュールの表示期間又は表示倍率の変更処理と、携帯端末装置の振動の検知に基づいたスケジュールの表示期間又は表示倍率の変更処理を併存させてもよく、この場合、表示部１０５の回動及び携帯端末装置の振動のいずれか一方が検知されることで、スケジュールの表示期間又は表示倍率が変更される。
【００３７】
図１２は、表示期間又は表示倍率を変更するための携帯端末装置の振動させる動作を説明する図である。例えば、一定時間（例えば２秒）の間に、所定の加速度以上で携帯端末装置を２回振動させる。例えば、図示されるように、ユーザが（１）第一の方向、（２）第一の方向と反対の第二の方向、（３）再度第一の方向の順に携帯端末装置を振ることで、加速度センサ１０９は、少なくとも第一の方向への所定加速度以上の加速度を２回検知する。この動作が一定時間以内に行われた場合は、あらかじめ設定された表示期間又は表示倍率の順序に従って、表示期間又は表示倍率を変更する。
【００３８】
加速度を検知する場合も、上述同様に、図５の設定項目「拡大／縮小モード」が「ＯＦＦ」に設定されている場合は、表示期間が変更され、「ＯＮ」に設定されている場合は、表示倍率が変更される。表示期間又は表示倍率を変更するための動作は、上述のように、第一の方向へ複数回振動させる場合に限られず、例えば１回だけ振動させる場合であってもよいし、複数回振動させる場合であっても、第一の方向への振動回数と第二の方向への振動回数の組み合わせにより、表示期間又は表示倍率の変更制御が行われてもよい。例えば、上述の（１）、（３）の動作による第一の方向への２回の振動（所定加速度以上の加速度）が検知されることにより、表示変更制御を行われるが、これに加えて、（２）の動作による第二の方向への１回の振動の検知も、表示変更制御を行うための条件としてもよい。
【００３９】
図１３は、本発明の実施の形態における携帯端末装置の処理フローチャートである。上述した各制御処理をフローチャートで表したものであり、アプリケーションＣＰＵ１０３により実行される。携帯端末装置の表示部１０５が待ち受け画面を表示している状態において、表示部１０５が縦長状態から横長状態へ回動されたことが検知されると（Ｓ１００）、その回動の方向が判定され（Ｓ１０２）、右側に回動された場合において、さらに、その回動が検知されたときに、所定キーの押し下げなど入力部１０４に対する所定の操作が行われているかどうか判定する（Ｓ１０４）、入力部１０４に対する所定の操作が行われている状態で、表示部１０５が右側に回動されると、スケジュール機能が起動され（Ｓ１０６）、スケジュール機能のデフォルト画面が表示される。入力部１０４に対する所定の操作が行われていない状態で、表示部１０５が回動された場合及び入力部１０４に対する所定の操作が行われている状態で、表示部１０５が左側に回動される場合は、スケジュール機能と異なる機能がそれぞれ起動される（Ｓ１０８）。
【００４０】
スケジュール機能が起動された後、表示部１０５が縦長状態から横長状態への回動されたことが検知されると（Ｓ１１０）、さらに、回動された方向が判定され（Ｓ１１２）、図５に示した設定画面による設定に従って、表示されるスケジュールの期間が変更され、さらに回動される方向によって異なる期間のスケジュールが表示される。例えば、図４の例では、左側に回動されると１週間のスケジュールが表示され（Ｓ１１４）、右側に回動されると２週間のスケジュールが表示される（Ｓ１１６）。表示されるスケジュールの期間は、図５の設定画面により任意に設定可能である。
【００４１】
また、スケジュール機能が起動されている間において、一定時間内での所定の揺動動作が検知すると（Ｓ１１８）、表示期間又は表示倍率の変更制御を行う。一定時間内での所定の揺動動作は、一定時間内に表示部１０５が複数回回動する動作、又は一定時間内に携帯端末装置が所定の加速度以上で複数回振動する動作である。
【００４２】
一定時間内での所定の揺動動作が検知されると、図５の設定画面により設定される「拡大／縮小モード」のＯＮ／ＯＦＦが判定され（Ｓ１２０）、ＯＦＦの場合は、図８の例に従って表示されるスケジュール期間が変更され（Ｓ１２２）、ＯＮの場合は、図９の例に従って、表示されるスケジュールの表示倍率が変更される（Ｓ１２４）。
【００４３】
上述した実施の形態例に加えて、本発明の範囲に含まれるさまざまな別の実施の形態例が考えられる。
【００４４】
例えば、上述の実施の形態例では、図５の設定画面を用いて、表示部１０５の縦長状態から横長状態への回動したときに表示されるスケジュール期間を設定可能であるが、携帯端末装置を振り動かしたとき、すなわち加速度センサ１０９による所定加速度以上の加速度を検知したときに表示されるスケジュール期間を設定可能としてもよい。
【００４５】
また、一定時間内に複数回の回動動作など一定時間内に所定の回動動作が行われると、表示倍率が変更される例を示したが、単に、一回の回動動作で、表示倍率を変更するようにしてもよい。この場合、縦長状態から横長状態にする右側への回動と左側への回動により、異なる表示倍率が設定されてもよい。例えば、図５の設定画面で、右側への回動と左側への回動に対してそれぞれ設定可能なスケジュール期間に代わって、表示倍率を設定可能とすればよい。
【００４６】
（付記１）
スケジュールを記憶及び表示するスケジュール機能を有する携帯端末装置において、
記憶されたスケジュールを表示する表示部と、
前記表示部の揺動を検知する揺動検知部と、
前記揺動検知部が前記表示部の揺動を検知すると、前記表示部に表示されるスケジュール期間を変更する表示制御部とを備えることを特徴とする携帯端末装置。
【００４７】
（付記２）
付記１において、
前記表示部の揺動は、前記表示部の縦長状態から横長状態への回動及び横長状態から縦長状態への回動であることを特徴とする携帯端末装置。
【００４８】
（付記３）
付記２において、
前記表示制御部は、前記揺動検知部が前記表示部の縦長状態から横長状態への回動を検知すると、前記表示部に表示される第一のスケジュール期間を第二のスケジュール期間に変更することを特徴とする携帯端末装置。
【００４９】
（付記４）
付記３において、
前記揺動検知部は、前記表示部の縦長状態から横長状態への回動の方向が左方向又は右方向のいずれであるかを検知し、
前記表示制御部は、左方向への回動を検知した場合は、前記表示部に表示される第一のスケジュール期間を第二のスケジュール期間に変更し、右方向への回動を検知した場合は、前記表示部に表示される第一のスケジュール期間を第三のスケジュール期間に変更することを特徴とする携帯端末装置。
【００５０】
（付記５）
付記２において、
前記表示制御部は、前記揺動検知部が所定時間内に前記表示部の所定の回動動作を検知する毎に、あらかじめ設定された複数のスケジュール期間の変更順序に従って、前記表示部に表示するスケジュール期間を変更することを特徴とする携帯端末装置。
【００５１】
（付記６）
付記５において、
前記表示部の所定の回動動作は、前記表示部の縦長状態から横長状態への複数回の回動を含むことを特徴とする携帯端末装置。
【００５２】
（付記７）
付記２において、
入力操作を行うための入力部を備え、
前記表示部に待ち受け画面が表示されている場合において、前記入力部に対して所定の入力操作が行われている間に、前記揺動検知部が前記表示部の縦長状態から前記横長状態への回動を検知すると、前記表示制御部は、スケジュール機能を起動して、所定のスケジュール期間を表示することを特徴とする携帯端末装置。
【００５３】
（付記８）
付記１において、
前記表示部の揺動は、前記表示部の所定の加速度以上の振動であることを特徴とする携帯端末装置。
【００５４】
（付記９）
付記８において、
前記表示制御部は、前記揺動検知部が所定時間内に前記表示部の所定の振動動作を検知する毎に、あらかじめ設定された複数のスケジュール期間の変更順序に従って、前記表示部に表示するスケジュール期間を変更することを特徴とする携帯端末装置。
【００５５】
（付記１０）
付記９において、
前記表示部の所定の振動動作は、前記表示部の所定方向への複数回の振動を含むことを特徴とする携帯端末装置。
【００５６】
（付記１１）
スケジュールを記憶及び表示するスケジュール機能を有する携帯端末装置において、
記憶されたスケジュールを表示する表示部と、
前記表示部の揺動を検知する揺動検知部と、
前記揺動検知部が前記表示部の揺動を検知すると、前記表示部に表示されるスケジュールの表示倍率を変更する表示制御部とを備えることを特徴とする携帯端末装置。
【００５７】
（付記１２）
付記１１において、
前記表示部の揺動は、前記表示部の縦長状態から横長状態への回動及び横長状態から縦長状態への回動であることを特徴とする携帯端末装置。
【００５８】
（付記１３）
付記１２において、
前記表示制御部は、前記揺動検知部が前記表示部の縦長状態から横長状態への回動を検知すると、前記表示部に表示されるスケジュールの表示倍率を第一の表示倍率から第二の表示倍率に変更することを特徴とする携帯端末装置。
【００５９】
（付記１４）
請求項１３において、
前記揺動検知部は、前記表示部の縦長状態から横長状態への回動の方向が左方向又は右方向のいずれであるかを検知し、
前記表示制御部は、左方向への回動を検知した場合は、前記表示部に表示されるスケジュールの表示倍率を第一の表示倍率から第二の表示倍率に変更し、右方向への回動を検知した場合は、前記表示部に表示されるスケジュールの表示倍率を第一の表示倍率から第三の表示倍率に変更することを特徴とする携帯端末装置。
【００６０】
（付記１５）
請求項１２において、
前記表示制御部は、前記揺動検知部が所定時間内に前記表示部の所定の回動動作を検知する毎に、あらかじめ設定された複数の表示倍率の変更順序に従って、前記表示部に表示するスケジュールの表示倍率を変更することを特徴とする携帯端末装置。
【００６１】
（付記１６）
付記１５において、
前記表示部の所定の回動動作は、前記表示部の縦長状態から横長状態への複数回の回動を含むことを特徴とする携帯端末装置。
【００６２】
（付記１７）
付記１２において、
入力操作を行うための入力部を備え、
前記表示部に待ち受け画面が表示されている場合において、前記入力部に対して所定の入力操作が行われている間に、前記揺動検知部が前記表示部の縦長状態から前記横長状態への回動を検知すると、前記表示制御部は、スケジュール機能を起動して、所定の表示倍率でスケジュールを表示することを特徴とする携帯端末装置。
【００６３】
（付記１８）
付記１１において、
前記表示部の揺動は、前記表示部の所定の加速度以上の振動であることを特徴とする携帯端末装置。
【００６４】
（付記１９）
付記１８において、
前記表示制御部は、前記揺動検知部が所定時間内に前記表示部の所定の振動動作を検知する毎に、あらかじめ設定された複数の表示倍率の変更順序に従って、前記表示部に表示するスケジュールの表示倍率を変更することを特徴とする携帯端末装置。
【００６５】
（付記２０）
付記１９において、
前記表示部の所定の振動動作は、前記表示部の所定方向への複数回の振動を含むことを特徴とする携帯端末装置。
【００６６】
（付記２１）
スケジュールを記憶及び表示するスケジュール機能を有する携帯端末装置の表示制御方法において、
前記携帯端末装置の表示部にスケジュールを表示する表示ステップと、
前記表示部の揺動を検知する揺動検知ステップと、
前記揺動検知ステップにより前記表示部の揺動が検知されると、前記表示部に表示されるスケジュール期間を変更する表示制御ステップとを備えることを特徴とする携帯端末装置の表示制御方法。
【００６７】
（付記２２）
スケジュールを記憶及び表示するスケジュール機能を有する携帯端末装置の表示制御方法において、
前記携帯端末装置の表示部にスケジュールを表示する表示ステップと、
前記表示部の揺動を検知する揺動検知ステップと、
前記揺動検知ステップにより前記表示部の揺動が検知されると、前記表示部に表示されるスケジュールの表示倍率を変更する表示制御ステップとを備えることを特徴とする携帯端末装置の表示制御方法。
【００６８】
（付記２３）
スケジュールを記憶及び表示するスケジュール機能を有する携帯端末装置により実行されるコンピュータプログラムにおいて、
前記携帯端末装置の表示部にスケジュールを表示する表示ステップと、
前記表示部の揺動を検知する揺動検知ステップと、
前記揺動検知ステップにより前記表示部の揺動が検知されると、前記表示部に表示されるスケジュール期間を変更する表示制御ステップとを前記携帯端末に実行させることを特徴とするコンピュータプログラム。
【００６９】
（付記２４）
スケジュールを記憶及び表示するスケジュール機能を有する携帯端末装置により実行されるコンピュータプログラムにおいて、
前記携帯端末装置の表示部にスケジュールを表示する表示ステップと、
前記表示部の揺動を検知する揺動検知ステップと、
前記揺動検知ステップにより前記表示部の揺動が検知されると、前記表示部に表示されるスケジュールの表示倍率を変更する表示制御ステップとを前記携帯端末に実行させることを特徴とするコンピュータプログラム。
【図面の簡単な説明】
【００７０】
【図１】表示部が回動可能な携帯端末装置の例を示す図である。
【図２】本発明の実施の形態における携帯端末装置のハードウェア構成例を示す図である。
【図３】表示部１０５の回動によりスケジュール機能を起動するための設定画面を示す図である。
【図４】スケジュール期間を変更する本発明の表示制御処理による表示部１０５に表示される画面の例を示す図である。
【図５】表示部１０５の回動により表示されるスケジュール期間を設定するための設定画面の例を示す図である。
【図６】回動に対するスケジュール期間が設定されない場合のスケジュール画面の切替例を示す図である。
【図７】表示期間を変更するための表示部１０５を回動させる動作を説明する図である。
【図８】表示されるスケジュールの表示期間の変更順序の例を示す図である。
【図９】表示されるスケジュールの表示倍率の変更順序の例を示す図である。
【図１０】拡大／縮小されて表示されるスケジュール画面の例を示す図である。
【図１１】拡大／縮小されて表示されるスケジュール画面の例を示す図である。
【図１２】表示期間又は表示倍率を変更するための携帯端末装置の振動させる動作を説明する図である。
【図１３】本発明の実施の形態における携帯端末装置の処理フローチャートである。
【符号の説明】
【００７１】
１００：アプリケーション制御部、１０１：ＲＯＭ、１０２：ＲＡＭ、１０３：アプリケーションＣＰＵ、１０４：入力部、１０５：表示部、１０６：音響制御部、１０７：ＡＩＵ、１０８：回動検知部、１０９：加速度センサ
【図１】
2008198040.tif 000003
【図２】
2008198040.tif 000004
【図３】
2008198040.tif 000005
【図４】
2008198040.tif 000006
【図５】
2008198040.tif 000007
【図６】
2008198040.tif 000008
【図７】
2008198040.tif 000009
【図８】
2008198040.tif 000010
【図９】
2008198040.tif 000011
【図１０】
2008198040.tif 000012
【図１１】
2008198040.tif 000013
【図１２】
2008198040.tif 000014
【図１３】
2008198040.tif 000015